(57)【要約】【課題】磁気ヘッドの磨耗量を正確に把握することを可能とし、磁気ヘッドの交換を適切なタイミングで行うことができるようにする。【解決手段】磁気媒体１に接触して磁気データの読み取り及び書き込み処理を行う磁気ヘッド２を備えた磁気データ処理装置において、磁気ヘッド２の交換の目安とする磨耗量を示すアラーム層２ａを、磁気ヘッド２の地色と異なる色で着色して磁気ヘッド２内部に設け、磁気ヘッド２の磨耗量をアラーム層２aが表面に現れたか否かにより確認できるようにした。【選択図】        図１
2006127601.tif 000002
【特許請求の範囲】
【請求項１】
磁気媒体に接触して磁気データの読み取り及び書き込み処理を行う磁気ヘッドを備えた磁気データ処理装置において、
磁気ヘッドの交換の目安とする磨耗量を示すアラーム層を、磁気ヘッドの地色と異なる色で着色して磁気ヘッド内部に設けたことを特徴とする磁気データ処理装置。
【請求項２】
請求項１に記載の磁気データ処理装置において、
前記アラーム層は、磁気ヘッドの磨耗により磁気ヘッド表面に露出した後、磁気ヘッドが予め定めた回数使用されても、磁気ヘッドの出力特性が変化しない位置に設けたことを特徴とする磁気データ処理装置。
【請求項３】
請求項１または請求項２に記載の磁気データ処理装置において、
磁気ヘッドの地色及びアラーム層の色と異なる色で着色したプレアラーム層をアラーム層の上に所定の間隔をあけて設けたことを特徴とする磁気データ処理装置。
【請求項４】
請求項１〜請求項３のいずれか１項に記載の磁気データ処理装置において、
前記磁気ヘッドの上方に配置された光学センサと、
この光学センサが検知した磁気ヘッド表面の色を認識する表面色認識手段と、
この表面認識手段が認識した色により磨耗量のプレアラームやアラームを検出してそのプレアラームやアラームに応じた報知情報を出力する報知情報出力手段を備えたことを特徴とする磁気データ処理装置。
【請求項５】
磁気媒体に接触して磁気データの読み取り及び書き込み処理を行う磁気ヘッドを備えた磁気データ処理装置において、
前記磁気ヘッド上方に配置された圧力センサと、
前記磁気ヘッドを基準位置からの一定の距離だけ上方に移動させたとき、前記圧力センサの出力の変化から磁気ヘッドと接触したことを認識する接触認識手段と、
この接触認識手段の認識結果から磁気ヘッドの磨耗量がアラーム位置に達したか否かを検出する検出手段を備えたことを特徴とする磁気データ処理装置。
【請求項６】
請求項５に記載の磁気データ処理装置において、
前記アラーム位置は、磁気ヘッドの磨耗量が該アラーム位置に達した後、磁気ヘッドが予め定めた回数使用されても、磁気ヘッドの出力特性が変化しない位置に設定したことを特徴とする磁気データ処理装置。
【請求項７】
請求項５または請求項６に記載の磁気データ処理装置において、
前記圧力センサを上下方向に位置をずらして少なくとも２個配置し、
位置の高い方の圧力センサが磁気ヘッドに接触せずかつ位置の低い方の圧力センサが磁気ヘッドに接触した状態を磨耗量のプレアラーム位置、２個の圧力センサがいずれも磁気ヘッドに接触しない状態を磨耗量のアラーム位置とすることを特徴とする磁気データ処理装置。
【請求項８】
請求項５〜請求項６のいずれか１項に記載の磁気データ処理装置において、
前記検出手段により磁気ヘッドの磨耗量がプレアラーム位置やアラーム位置に達したたことを検出したとき、そのプレアラームやアラームに応じた報知情報を出力する報知情報出力手段を備えたことを特徴とする磁気データ処理装置。
【発明の詳細な説明】
【技術分野】
【０００１】
本発明は、磁気ヘッドにより磁気媒体に対して磁気データの読み取りや書き込みの処理を行う磁気データ処理装置に関するものである。
【背景技術】
【０００２】
この種の磁気データ処理装置においては、磁気データの読み取りや書き込みの処理を繰り返すことにより磁気ヘッドが磨耗すると、読み取りエラーや書き込みエラーの発生頻度が高くなるので、磁気ヘッドの磨耗を適切に検出して交換を行う必要があり、そのため、磁気ヘッドの磨耗を検知する技術として、特許文献１に示される技術が提案されている。
この特許文献１には、磁気ヘッドを制御して磁気カードに記録されたデータを再生し、その再生データの変化点および変化後との時間値を読み取り、読み取った時間値が規定の範囲内であるか否かを判断して、規定範囲外であれば磁気ヘッドの寿命を示す寿命カウンタに「１」を加算した後、カウンタ値が「１０」になったかどうかを判断するという動作を繰り返し、これによりカウンタ値が「１０」になった場合、磁気ヘッドの交換を指示する技術が記載されている。
【特許文献１】特開平７−２１６６８号公報（段落「００１３」〜段落「００１５」、図１、図３）
【発明の開示】
【発明が解決しようとする課題】
【０００３】
しかしながら、上述した従来の技術においては、磁気ヘッドの読み取りの時間値をカウントして、そのカウント値で磁気ヘッドの磨耗による寿命を判断しているため、以下の問題がある。
すなわち、磁気ヘッドの読み取り状態は、磁気ヘッドの位置調整等のメカ的な条件や、使用する媒体の状態の変化等により影響を受け易く、磁気ヘッドの磨耗量を正確に把握することが困難であるため、磁気ヘッドの交換を適切なタイミングで行うことが難しいという問題がある。
【０００４】
本発明は、このような問題を解決することを課題とする。
【課題を解決するための手段】
【０００５】
そのため、本発明は、磁気媒体に接触して磁気データの読み取り及び書き込み処理を行う磁気ヘッドを備えた磁気データ処理装置において、磁気ヘッドの交換の目安とする磨耗量を示すアラーム層を、磁気ヘッドの地色と異なる色で着色して磁気ヘッド内部に設けたことを特徴とする。
【発明の効果】
【０００６】
このようにした本発明は、磁気ヘッドの磨耗量をアラーム層が表面に現れたか否かにより確認できるので、磁気ヘッドの磨耗量を正確に把握することが可能となり、磁気ヘッドの交換を適切なタイミングで行うことができるという効果が得られる。
【発明を実施するための最良の形態】
【０００７】
以下、図面を参照して本発明による磁気データ処理装置の実施例を説明する。
【実施例】
【０００８】
図１は第１の実施例における磁気ヘッドの拡大図、図２はこの磁気ヘッドを使用した第１の実施例を示す概略構成図である。
図２において１はカードや通帳に設けられた磁気ストライプ等の磁気記録部を備えた磁気媒体、２はこの磁気媒体１の磁気記録部に対して磁気データの読み取りおよび書き込みを行う磁気ヘッド、３はこの磁気ヘッド２を矢印Ａ，Ｂ方向に往復移動させる移動機構、４はこの移動機構３を駆動する図示しないモータを制御するモータ制御部、５は制御部である。
【０００９】
６ａは下部ガイド板、６ｂは下部ガイド板６ａと共に磁気媒体１の搬送路を成す上部ガイド板で、下部ガイド６ａには磁気ヘッド２の移動を妨げないよう図示しないスリットあるいは長穴が設けられており、磁気ヘッド２は上端が下部ガイド板６ａの上面から一定量だけ突出するように設定されている。
磁気ヘッド２には、図１に示したように、表面が磨耗してきたときに表面の色が変化するように各々着色を施したアラーム層２aとプレアラーム層２ｂが設けられており、磁気ヘッドの交換の目安とするアラーム層２aを例えば赤色、プレアラーム層２ｂを例えば黄色とすることで、アラーム層２aの色を磁気ヘッド２の地色（金属色）と異ならせ、また、プレアラーム層２ｂの色を磁気ヘッド２の地色及びアラーム層２aと異ならせている。
【００１０】
また、プレアラーム層２ｂの方がアラーム層２ａより先に露出するように、アラーム層２aの上にプレアラーム層２ｂが間隔をあけて配置されており、そして、アラーム層２ａは磨耗により表面に露出した後、磁気ヘッド２が予め定めた規定回数使用されても、磁気ヘッド２の出力特性が変化しない位置に設けられている。
尚、アラーム層２a及びプレアラーム層２ｂは磁気ヘッド２の素材となる金属に着色材を含有させることで形成可能である。
【００１１】
このような構成において、磁気媒体１に対し、磁気ヘッド２により磁気データの書き込みや読み取りを行う場合、磁気媒体１が図示しない搬送手段により下部ガイド板６ａ上を所定の位置まで搬送されてきた後、停止する。
この状態でモータ制御部４からの指令により図示しないモータが例えば正回転し、これにより移動機構３が駆動されて磁気ヘッド２をそのホームポジション（初期位置）から矢印Ａ方向に移動させる。
【００１２】
この移動に伴って、磁気ヘッド２はこの磁気媒体１の磁気記録部に接触し、磁気媒体１の磁気記録部から磁気データを読み取って行く。
磁気ヘッド２が読み取った磁気データは制御部５に送られ、制御部５で磁気データの内容が認識される。
このように読み取りを行った後、モータ制御部４からの指令により図示しないモータが例えば逆回転し、これにより移動機構３が駆動されて磁気ヘッド２を矢印Ａと逆の矢印Ｂ方向に移動させる。
【００１３】
この移動に伴って、磁気ヘッド２はこの磁気媒体１の磁気記録部に接触し、制御部５か送られてくるデータを磁気記録部に磁気データとして書き込んで行く。
このようにして磁気ヘッド２は停止中の磁気媒体１の磁気記録部に対して接触しつつ移動して磁気データの読み取り及び書き込みを行うので、この読み取り及び書き込みを繰り返し行うことにより、磁気ヘッド２の表面は磁気媒体１との摩擦により磨耗して行くが、本実施例では磁気ヘッド２の表面の磨耗が進むと、まず、黄色に着色されたプレアラーム層２ｂが現れ、更に磨耗が進むと赤色のアラーム層２ａが現れる。
【００１４】
このように第１の実施例によれば、磁気ヘッドの表面の磨耗が進むと、まず、着色されたプレアラーム層が現れ、更に磨耗が進むとプレアラーム層とは別の色で着色されたアラーム層が現れるので、保守点検を行う作業員はプレアラーム層が現れた場合、交換時期が近づいてきたことを目視で確認することができ、同様にアラーム層が現れることでこれを交換の目安として、交換の必要性を正確に把握することが可能になるので、磁気ヘッドを適切なタイミングで交換することができるという効果が得られる。
【００１５】
また、アラーム層は、磨耗により表面に露出した後、磁気ヘッドが予め定めた規定回数使用されるまで出力特性が変化しない位置に設けられているので、保守点検の際、交換する磁気ヘッドの用意が無くても、後日交換するまで使用可能な状態を保つことができ、余裕を持って交換に対応できるという効果が得られる。
図３は本発明の第２の実施例を示す概略構成図である。
【００１６】
この第２の実施例は、第１の実施例と同様にアラーム層２aとプレアラーム層２ｂを設けた磁気ヘッド２を用い、磁気ヘッド２の上方に色彩検知用の光学センサ７を設けると共に、この光学センサ７の出力から磁気ヘッド２表面の色を認識する表面色認識部８を設けたものとしている。
尚、光学センサ７は磁気ヘッド２のホームポジションであって、上部ガイド板６ｂ上に位置するように配置され、上部ガイド板６ｂに設けたスリットあるいは孔から磁気ヘッド２に光を照射し、その反射光を受光して磁気ヘッド表面の色を検知するものとなっている。
【００１７】
このほかの構成は上述した第１の実施例と同様であるので、同様の部分には同一の符号を付してその説明を省略するが、この第２の実施例において制御部５はプレアラームおよびアラームの検出手段や情報通知手段として機能する。
このような構成による第２の実施例では、第１の実施例と同様に磁気媒体１の磁気記録部に対して、磁気へッド２を矢印Ａ，Ｂ方向に移動させつつ磁気データの書き込みや読み取りを行うが、光学センサ７は制御部５の指示により、例えば、磁気ヘッド２の読み取り動作や書き込み動作毎に、磁気ヘッド２の表面の色を検知して、その検知結果を表面色認識部８に出力し、これにより表面色認識部８は磁気ヘッド２の表面の色を認識して、その認識結果を制御部５に通知する。
【００１８】
この場合、磁気ヘッド２の表面がプレアラーム層２ｂに達するまで磨耗していなければ磁気ヘッド２の表面は金属色であるので、制御部５は表面色認識部８からの認識結果が銀色（または灰色）の場合は、正常と判断する。
これに対し、磁気ヘッド２の表面がプレアラーム層２ｂに達するまで磨耗している場合、表面色認識部８は黄色と認識して制御部５に通知するため、制御部５はプレアラームと判断し、また、磁気ヘッド２の表面がアラーム層２ａに達するまで磨耗している場合、表面色認識部８は赤色と認識して制御部５に通知するため、制御部５はアラームと判断する。
【００１９】
このように制御部５は、プレアラームやアラームを検出して、それに応じた報知情報を営業店の行員が操作する端末や、図示しないモニタにより保守点検を行う作業員が監視するモニタ等に送信して磁気ヘッドがプレアラームやアラームであることを示すメッセージや警報音等により通報する。
このように第２の実施例によれば、磁気ヘッドの表面の磨耗が進むことにより磁気ヘッド表面に現れるプレアラーム層やアラーム層の色を検知して、保守点検を行う作業員等に通報するため、作業員は交換時期が近づいてきたことや、交換の必要性を正確に把握することが可能になるので、磁気ヘッドを適切なタイミングで交換することができるという効果が得られる。
【００２０】
図４は本発明の第３の実施例を示す概略構成図である。
この第３の実施例は、アラーム層２aとプレアラーム層２ｂを設けていない磁気ヘッド９を用い、この磁気ヘッド９を移動機構３と一体に上下動可能とし、また、磁気ヘッド９のホームポジションの上方に圧力センサ１０ａ，１０ｂ，１０ｃを設けると共に、これらの圧力センサ１０ａ，１０ｂ，１０ｃの出力から磁気ヘッド９表面の磨耗量を認識する接触認識部１１を設けたものとしている。
【００２１】
ここで圧力センサ１０ａ，１０ｂ，１０ｃは、上部ガイド板６ｂ上において中央の圧力センサ１０ａが高く、その両側の圧力センサ１０ｂ，１０ｃが低くなるように上下方向に位置をずらして配置され、そして上部ガイド板６ｂに設けたスリットあるいは孔から磁気ヘッド２が圧力センサ１０ａ，１０ｂ，１０ｃに接触できるようにしている。
また、磁気ヘッド９を移動機構３と一体に上下動させる昇降機構及びこれを駆動するモータは図示していないが、この昇降機構を駆動するモータもモータ制御部４により制御されるものとなっている。
【００２２】
尚、各圧力センサ１０ａ，１０ｂ，１０ｃの磁気ヘッド９との接触面に各々緩衝材等を設けて、磨耗量測定時に磁気ヘッド９の表面に傷をつけないような構造にすることが望ましい。
このほかの構成は上述した第１の実施例と同様であるので、同様の部分には同一の符号を付してその説明を省略するが、この第３の実施例においても制御部５はプレアラームおよびアラームの検出手段や情報通知手段として機能する。
【００２３】
このような構成による第３の実施例も、第１の実施例と同様に磁気媒体１の磁気記録部に対して、磁気へッド９を矢印Ａ，Ｂ方向に移動させつつ磁気データの書き込みや読み取りを行うが、例えば、この磁気ヘッド９の読み取り動作や書き込み動作毎に、モータ制御部４は昇降機構を駆動するモータに駆動信号を送り、磁気ヘッド９のホームポジションにおいて、上下方向の基準位置から磁気ヘッド９を予め定めた距離だけ上昇させ、これにより磁気ヘッド９が圧力センサ１０ａ〜１０ｃに接触したか否かを接触認識部１１により認識して、その認識結果により制御部５は磁気ヘッド９の磨耗量を判断する。
【００２４】
図５はこのときの磨耗量検出の説明図である。
磁気ヘッド９が磨耗していない状態あるいは磨耗量が少ない状態では、磁気ヘッド９の上端部は凸状の湾曲面となっているため、磁気ヘッド９を前記上下方向の基準位置から予め定めた距離だけ上昇させると、図５（ａ）に示したように圧力センサ１０ａ，１０ｂ，１０ｃが磁気ヘッド９上端の湾曲面に接触する。
【００２５】
これにより圧力センサ１０ａ，１０ｂ，１０ｃの出力が変わるため、接触認識部１１は圧力センサ１０ａ，１０ｂ，１０ｃがすべて磁気ヘッド９に接触したものと認識し、その認識結果を、制御部５に通知するので、この場合、制御部５は圧力センサ１０ａ，１０ｂ，１０ｃがすべて磁気ヘッド９に接触しているので、磨耗量は問題ないものとして正常と判断する。
【００２６】
これに対し、磁気ヘッド９の表面が予め定めたプレアラーム位置まで磨耗した場合、磁気ヘッド９の上端部は平坦状に変化しているため、磁気ヘッド９を前記上下方向の基準位置から予め定めた距離だけ上昇させると、図５（ｂ）に示したように圧力センサ１０ａは磁気ヘッド９と接触せず、圧力センサ１０ｂ，１０ｃの２つが磁気ヘッド９上端の平坦面に接触する。
【００２７】
これにより圧力センサ１０ａの出力は変わらず、圧力センサ１０ｂ，１０ｃの出力が変わるため、接触認識部１１は圧力センサ１０ｂ，１０ｃのみが磁気ヘッド９に接触したものと認識し、その認識結果を制御部５に通知するので、この場合、制御部５は磁気ヘッド９の磨耗量はプレアラームと判断する。
また、磁気ヘッド９の表面が予め定めたアラーム位置まで磨耗した場合は、磁気ヘッド９を前記上下方向の基準位置から予め定めた距離だけ上昇させると、図５（ｃ）に示したように圧力センサ１０ａ，１０ｂ，１０ｃのいずれも磁気ヘッド９に接触せず、その出力は変わらないので、接触認識部１１は圧力センサ１０ａ，１０ｂ，１０ｃがすべて磁気ヘッド９に接触しないたものと認識して、その認識結果を制御部５に通知し、これにより制御部５は磁気ヘッド９の磨耗量はアラームと判断する。
【００２８】
このように制御部５は、プレアラームやアラームを検出して、それに応じた情報を営業店の行員が操作する端末や、図示しないモニタにより保守点検を行う作業員が監視するモニタ等に送信して磁気ヘッドがプレアラームやアラームであることを示すメッセージや警報音等により通報する。
このように第３の実施例によれば、磁気ヘッドの表面の磨耗量を圧力センサにより検知し、プレアラームやアラームになったか否かを判断して、保守点検を行う作業員等に通報するため、作業員は交換時期が近づいてきたことや、交換の必要性を正確に把握することが可能になるので、磁気ヘッドを適切なタイミングで交換することができるという効果が得られる。
【００２９】
以上、第１〜第３の実施例について説明したが、本発明はこれに限定されるものではない。
例えば、上述した各実施例は、磁気媒体を停止させ、磁気ヘッドを移動させて磁気データの読み取り及び書き込みを行う装置について説明したが、磁気ヘッドを固定し磁気媒体を移動させて磁気データの読み取り及び書き込みを行う装置についても本発明を適用できることは無論である。
【００３０】
また、第３の実施例では、３個の圧力センサ１０ａ〜１０ｃ設けた構成として説明したが、上下方向に位置をずらした少なくとも２個のセンサ１０ａと１０ｂまたはセンサ１０ａと１０ｃを用いても、同様に磁気ヘッド９の磨耗量を検知してプレアラームやアラームを判断することが可能である。
【図面の簡単な説明】
【００３１】
【図１】第１の実施例における磁気ヘッドの拡大図
【図２】図１の磁気ヘッドを使用した第１の実施例を示す概略構成図
【図３】第２の実施例を示す概略構成図
【図４】第３の実施例を示す概略構成図
【図５】磨耗量検知の説明図
【符号の説明】
【００３２】
１    磁気媒体
２    磁気ヘッド
２ａ  アラーム層
２ｂ  プレアラーム層
３    移動機構
４    モータ制御部
５    制御部
７    光学センサ
８    表面色認識部
９    磁気ヘッド
１０ａ〜１０ｃ  圧力センサ
１１  接触認識部
【図１】
2006127601.tif 000003
【図２】
2006127601.tif 000004
【図３】
2006127601.tif 000005
【図４】
2006127601.tif 000006
【図５】
2006127601.tif 000007